(57)【要約】【課題】組み立て時の人感センサ８やセンサ基板９の破損を防止する。【解決手段】前面パネル３にレンズ孔２２を備え、前面パネルの後方に位置する後板２と、後板に固定する基板ケース１６とを有し、基板ケースの一部にセンサ固定部１７を形成し、センサ固定部に取り付けられるセンサ基板９を有し、センサ固定部にはセンサ基板を固定するための溝１８と係止部１９とを形成し、係止部には係止孔２０を備え、人感センサはセンサ基板とセンサ素子１０とセンサレンズ１１で構成し、センサ基板の一端側に前記溝に挿入する差込部１４を、他端には係止孔に係止する凸部１５を、略中央部にはセンサ素子を備え、センサ素子をセンサレンズで覆い、前面パネルのレンズ孔にセンサレンズが位置する構成とし、係止部は前記センサ基板をセンサ固定部に取り付けたときに撓むようにすることで、人感センサやセンサ基板の破損を防止する。【選択図】図４
2019128097.tif 000002
【特許請求の範囲】
【請求項１】
室内機を覆う前面パネルの表面に人感センサを備える空気調和機において、
前記前面パネルにはレンズ孔を備え、
前記前面パネルの後方に位置する後板と、
前記後板に固定する基板ケースとを有し、
前記基板ケースの一部にセンサ固定部を形成し、
前記センサ固定部に取り付けられるセンサ基板を有し、
前記センサ固定部には前記センサ基板を固定するための溝と係止部とを形成し、該係止部には係止孔を備え、
前記人感センサは前記センサ基板とセンサ素子とセンサレンズで構成し、
前記センサ基板の一端側に前記溝に挿入する差込部を、他端には前記係止孔に係止する凸部を、略中央部には前記センサ素子を備え、該センサ素子を前記センサレンズで覆い、前記前面パネルの前記レンズ孔に前記センサレンズが位置する構成とし、
前記係止部は前記センサ基板を前記センサ固定部に取り付けたときに撓むことを特徴とする空気調和機。
【請求項２】
前記係止部は、前記センサ固定部に備えた２本の切欠の間に、断面Ｌ字型に形成することを特徴とする請求項１に記載の空気調和機。
【発明の詳細な説明】
【技術分野】
【０００１】
本発明は、室内機を覆う前面パネルの表面に人感センサを備える空気調和機に関するものである。
【背景技術】
【０００２】
従来より、前面パネルに備えた表示部の後方に表示ランプを搭載した表示基板を設け、前記表示ランプに対向する表示部に備える孔を透過して前記表示ランプの点灯等を確認することで、空気調和機の運転状態を使用者が確認するものがあった。（例えば、特許文献１参照）
【先行技術文献】
【特許文献】
【０００３】
【特許文献１】特許５３４２４７６号公報
【発明の概要】
【発明が解決しようとする課題】
【０００４】
人感センサはその検知感度を良くするためには、なるべく前面パネルの表面に突出した方が感度は向上するが、前面パネルに直接人感センサを取り付けた場合には、取り付けスペースや電気配線の接続等で、製造コストの上昇や組み立て工数の増加をまねくものだった。また、前面パネルの後方にセンサ素子とセンサ素子を取り付ける基板を設け、前面パネルを貫通する孔を備え、センサ素子を覆うセンサレンズのみを前面パネルの孔より突出した場合には、孔の径をセンサレンズの外径よりも充分大きくすれば、孔にセンサレンズを貫通する組み立て作業は簡単に行うことができるが、孔とセンサレンズの間に大きな隙間が生じることで美観を損ねるものである。また、孔の径をセンサレンズの外径に近い大きさにした場合には、孔にセンサレンズを貫通する組み立て作業をするときに、孔の縁がセンサレンズに引っかかってセンサレンズに傷が発生したり、センサレンズからセンサ素子やセンサ素子が取り付けられているセンサ基板を押しつける力が加わることで、センサ素子やセンサ基板が破損する問題が有った。
【課題を解決するための手段】
【０００５】
本発明は上記課題を解決するため、室内機を覆う前面パネルの表面に人感センサを備える空気調和機において、前記前面パネルにはレンズ孔を備え、前記前面パネルの後方に位置する後板と、前記後板に固定する基板ケースとを有し、前記基板ケースの一部にセンサ固定部を形成し、前記センサ固定部に取り付けられるセンサ基板を有し、前記センサ固定部には前記センサ基板を固定するための溝と係止部とを形成し、該係止部には係止孔を備え、前記人感センサは前記センサ基板とセンサ素子とセンサレンズで構成し、前記センサ基板の一端側に前記溝に挿入する差込部を、他端には前記係止孔に係止する凸部を、略中央部には前記センサ素子を備え、該センサ素子を前記センサレンズで覆い、前記前面パネルの前記レンズ孔に前記センサレンズが位置する構成とし、前記係止部は前記センサ基板を前記センサ固定部に取り付けたときに撓むようにした。
【発明の効果】
【０００６】
本発明に係る空気調和機においては、前面パネル取り付け時にレンズ孔の縁がセンサレンズに接触し押圧したときには、係止部が撓むことで衝撃を吸収して、センサレンズやセンサ基板が破損することを防止する。また、センサ固定部１７にセンサ基板９と略平行な切欠２１を介して係止部１９を設け、係止部１９をレンズ孔２２と略垂直方向に柔軟性を有する形状とすることで、更に衝撃を吸収するものである。
【図面の簡単な説明】
【０００７】
【図１】本発明の一実施形態の斜視図。
【図２】同縦断面図。
【図３】同基板ケースの斜視図。
【図４】同要部の拡大分解斜視図。
【図５】同前面パネルの取り付けを説明する要部拡大断面図。
【図６】同平面方向の要部拡大断面図
【発明を実施するための形態】
【０００８】
次に、本発明の一実施形態の空気調和機を図面に基づいて説明する。１はセパレート式空気調和機の室内機で、後板２と前方の前面パネル３によって筐体を形成し、この筐体内には熱交換器（図示せず）と送風ファン等（図示せず）を備えている。また、前記前面パネル３の更に前面は、前面上部を中心に回動し着脱自在の化粧パネル４によって覆われている。
【０００９】
また、前記前面パネル３は上面に吸込口５を、底面に吹出口６を備え、前記吸込口５の内側には網目状で着脱自在のエアーフィルタ７を左右１対備え、吸込空気に含まれる埃を取り除く。また、前記熱交換器はフィンチューブ式の熱交換器を使用するものであり、冷房運転時には蒸発器として作用して低温になり、暖房運転時には凝縮器として作用して高温となることで、前記吹出口６から冷風や温風を吹き出して室温を調節する。また、前記送風ファンはクロスフローファンで、熱交換器の内側に配置され、前記吸込口５とエアーフィルタ７、熱交換器、送風ファン、吹出口６とを連通して送風経路（図示せず）を形成している。
【００１０】
前記吹出口６の右側には円形の人感センサ８を有している。この人感センサ８は人体から放射される赤外線を測定することにより、人の存在を検知する。また、人感センサ８はセンサ基板９とセンサ素子１０とセンサレンズ１１で構成する。
【００１１】
前記センサ基板９はおよそ縦３０ｍｍ×横６０ｍｍ×厚さ１．６ｍｍで薄板状のプリント基板で、前面の中央右側に赤外線を検知する前記センサ素子１０が半田付けによって取り付けられている。また、前面の中央左側はワイヤレスリモコン（図示せず）の信号を受信する受信器１２が、また、前面の上部中央には室内制御基板（図示せず）へ接続される端子（図示せず）の接続部１３が半田付けによって取り付けられている。また、前記センサ基板９の上下の左端から長手方向の約１／５程度の長さ範囲に設けられた差込部１４と右側端面に形成した凸部１５によって基板ケース１６に係止して固定する。
【００１２】
前記基板ケース１６は前記室内制御基板等の電子部品が取り付けられるプラスチック樹脂成形品で、前記送風経路の右側で前記後板２の右端に縦方向にネジ止め固定される。また、前記基板ケース１６の前方下部には前記センサ基板９を取り付けるセンサ固定部１７を突出して形成している。このセンサ固定部１７は縦断面コの字型で、前側左に前記センサ基板９の差込部１４を差し込む溝１８を上下に一対形成している。この溝１８はセンサ固定部１７の左端から右側に約１４ｍｍ（後側）と約７ｍｍ（前側）のビードを上下から内側に向けて備えることで、約１．７ｍｍ（深さ）×約１．９ｍｍ（幅）で前記差込部１４よりもやや大きな溝を形成し、センサ基板９をスムーズに差込挟持する。また、センサ固定部１７は背面から右側面にかけて横断面Ｌ字型の係止部１９と、この係止部１９に前記センサ基板９の凸部１５が嵌る縦長の係止孔２０を形成している。また、前記係止部１９の背面側の上下に切欠２１を有することで図６の破線で示した様に係止部１９に前後方向の柔軟性を備えることができるもので、この柔軟性によって前記センサ基板９や前記センサ素子１０等の破損を防止する。
【００１３】
前記センサレンズ１１は、赤外線を透過する樹脂材料で形成され、柱状の前記センサ素子１０を覆うことでセンサ素子１０にセンサレンズ１１前方周囲の赤外線を集めるために、前方が略球面状に突出する。
【００１４】
２２は前記前面パネル３の右下隅に備えるレンズ孔で、前記センサレンズ１１の外径よりも稍大きな径であり、センサレンズ１１が貫通してセンサレンズ１１の球状表面が前記前面パネル３の表面に突出することで、室内の人の存在を検知する。２３は表示部で表示ランプ等の点灯で空気調和機の運転状態を知らせるものである。
【００１５】
前記前面パネル３の組み付けについて説明すれば、後板２の前方に熱交換器や送風ファン等の機能部品と基板ケース１６が順次ネジ止め固定される。後板２の前方に前面パネル３を取り付ける際に、図５破線矢印のように、前面パネル３のレンズ孔２２の縁がセンサレンズ１１に接触し押圧するが、センサ固定部１７の係止部１９が柔軟に後ろ側に変形して撓むことで衝撃を吸収して和らげる。それによって、センサレンズ１１の表面に傷が発生したり、センサレンズ１１やセンサ素子１０やセンサ基板９が破損することを防止する。また、センサ固定部１７にセンサ基板９と略平行な切欠２１を介して係止部１９を設けたことで、係止部１９をレンズ孔２２の形成する平面と略垂直方向に柔軟性を持たせることができ、前面パネル３の取り付け時にレンズ孔２２の縁がセンサレンズ１１を押圧しても係止部１９が後ろ側に撓むことで差込部１４の端付近で撓み、レンズ基板９のセンサ素子９付近のレンズ基板９は撓みが少なくセンサ素子１０へのダメージを防止できる。
【００１６】
このように、本件発明によれば、前面パネル３取り付け時にレンズ孔２２の縁がセンサレンズ１１に接触し押圧したときには、係止部１９が撓むことで衝撃を吸収して、センサレンズ１１やセンサ基板９が破損することを防止する。また、センサ固定部１７にセンサ基板９と略平行な切欠２１を介して係止部１９を設け、係止部１９をレンズ孔２２と略垂直方向に柔軟性を有する形状とすることで、更に衝撃を吸収するものである。
【００１７】
なお、本発明は上記一実施形態に限定されるものではなく、発明の要旨を変更しない範囲で改変可能なものである。
【符号の説明】
【００１８】
１  室内機
２  後板
３  前面パネル
８  人感センサ
９  センサ基板
１０  センサ素子
１１  センサレンズ
１４  差込部
１５  凸部
１６  基板ケース
１７  センサ固定部
１８  溝
１９  係止部
２０  係止孔
２１  切欠
２２  レンズ孔
【図１】
2019128097.tif 000003
【図２】
2019128097.tif 000004
【図３】
2019128097.tif 000005
【図４】
2019128097.tif 000006
【図５】
2019128097.tif 000007
【図６】
2019128097.tif 000008